(57)【要約】【課題】屋根面と屋根瓦との間に通気層を有し、通気可能な屋根瓦及びそれを使用した屋根の通気構造を提供する。【解決手段】屋根瓦の主体である瓦本体の尻部裏面に設けた係止突起の突出高さを、前記瓦本体の野地面に対する位置決め部材の厚みより大きく形成するとともに、前記係止突起の野地面に接地する先端を平面にすることにより、野地面と屋根瓦裏面との間に通気層を設けることができるとともに、屋根瓦を野地面へ安定して屋根瓦の位置決めが可能になるという優れた効果を発揮する。【選択図】        図７
2005002630.tif 000002
【特許請求の範囲】
【請求項１】
屋根瓦の主体である瓦本体の尻部裏面に設けた係止突起の突出高さを、屋根の野地面に対する前記瓦本体の位置決め部材の厚みより大きくすることにより、前記野地面と前記瓦本体の間に隙間を設けて通気可能にしたことを特徴とする屋根瓦及びそれを使用した屋根の通気構造。
【請求項２】
前記係止突起の野地面に接地する先端が平面になっている請求項１記載の屋根瓦及びそれを使用した屋根の通気構造。
【請求項３】
野地面の軒先部に葺かれる屋根瓦の裏面側に通気部材を設けたことを特徴とする請求項１または請求項２記載の屋根瓦及びそれを使用した屋根の通気構造。
【請求項４】
野地面の棟部に屋根瓦の裏面を上昇してきた空気が通気可能な通気部材を設けたことを特徴とする請求項１または請求項２記載の屋根瓦及びそれを使用した屋根の通気構造。
【請求項５】
野地面の軒先部に葺かれる屋根瓦の裏面側に前記通気部材を設けるとともに、野地面の棟部に屋根瓦の裏面を上昇してきた空気が通気可能な通気部材を設けたことを特徴とする請求項１または請求項２記載の屋根瓦及びそれを使用した屋根の通気構造。
【請求項６】
前記係止突起と前記位置決め部材とが面接触している請求項１または請求項２記載の屋根瓦及びそれを使用した屋根の通気構造。
【発明の詳細な説明】
【０００１】
【発明が属する技術分野】
本発明は、屋根に施工される屋根瓦と、屋根瓦の位置決め部材から構成される屋根構造に関するものである。
【０００２】
【従来の技術】
【特許文献１】特開平１０−２５９６４８号公報
従来から、図１２から図１５に示すように、特開平１０−２５９６４８号公報記載の瓦葺き方法（以下従来技術と呼ぶ）が知られている。前記従来技術によると、野地面に予め固定された瓦桟木固定具３０を介し、瓦桟木３１が固定される構造になっている。更に、屋根瓦３２の尻部側裏面に尻剣突起３３と位置決め用駒３４が設けられ、該尻剣突起３３を前記瓦桟木３１に引っかけるとともに、前記瓦桟木固定具３０に設けられた位置決め溝３５に前記位置決め用駒３４を嵌合させて位置決めするものである。この工法を用いることで、屋根瓦３２の位置決めを容易にするとともに、更には、屋根瓦３２に固定用釘をとめ付けることで、屋根葺き完了後に作業員が乗るなど屋根瓦表面に荷重がかかった際に、がたつきを防止することができるという効果を発揮する。
【０００３】
【発明が解決しようとする課題】
ところが、図１５に示すように前記従来技術において平板状の平板瓦を施工すると前記平板瓦の構造上、瓦裏は平面形状であるので、前記平板瓦を瓦桟木に引っかけて施工すると、瓦桟木と屋根瓦の裏面がすべての面で密着し通気が悪くなる。このため、降雨時に屋根瓦同士の重合部から飛沫等が屋根瓦の裏面に侵入すると、長時間野地面上に雨水が残留し瓦桟木の腐食を誘発するという問題がある。
【０００４】
そこで本発明者は屋根瓦、特に平板瓦葺きの瓦屋根において、野地面と屋根瓦の間に隙間を設けて通気可能な屋根構造を提案すべく、鋭意研究した結果、屋根瓦の位置決め部材を極力薄肉化し、野地面と屋根瓦の裏面との間に隙間を設ければよいという事実を見いだし、本発明を完成した。従って本発明の課題は、野地面と屋根瓦との間に通気層を有し、通気可能な屋根瓦の野地面通気構造を提供することにある。
【０００５】
【課題を解決するための手段】
本発明にかかる請求項１発明は、前記の課題を解決するために、屋根瓦の主体である瓦本体の尻部裏面に設けた係止突起の突出高さを、屋根の野地面に対する前記瓦本体の位置決め部材の厚みより大きくすることにより、前記野地面と前記瓦本体の間に隙間を設けて通気可能にするという手段を採用する。
【０００６】
前記手段を採用することで、前記位置決め部材の水上側の側面に前記係止突起を当て止め固定することができ、野地面全体に屋根瓦を展開施工可能となるので、屋根瓦の位置決め機能を発揮するともに、瓦本体の裏面と前記位置決め部材との間に隙間を設けることができるので、野地面と屋根瓦裏面との間に通気層を設けることが可能となる。
【０００７】
更に本発明にかかる請求項２発明は、前記請求項１発明をより効果的にするために、前記係止突起の野地面に接地する先端を平面にするという手段を採用する。前記手段を採用することで、前記係止突起の高さを位置決め部材の厚みより大きくすると、野地面に屋根瓦の係止突起が干渉するが、前記係止突起の野地面に接地する先端を平面にすることで野地面に面接触して、屋根瓦をより安定して野地面に取り付けることができる。
【０００８】
そのうえ、本発明にかかる請求項３発明は、前記請求項１及び請求項２発明をより効果的にするために、野地面の軒先部に葺かれる屋根瓦の裏面側に通気部材を設けるという手段を採用する。前記手段を採用することにより、軒先部からの吸気能力を向上させることができる。また、野地面の棟部に屋根瓦の裏面を上昇してきた空気が通気可能な通気部材を設けることで（請求項４発明）、屋根瓦同士の接合部からの排気だけでなく、棟部からの排気能力を向上させることができるのでより通気効果を向上させることができる。さらには野地面の軒先部と棟部の双方に通気部材を設けることで（請求項５発明）、野地面全体で通気可能となりより一層の通気さらには換気効果を発揮する。
【０００９】
本発明にかかる請求項６発明は、前記係止突起と前記位置決め部材とが面接触するという手段を採用する。前記手段を採用することで、予め野地面に固定された位置決め部材と前記係止突起とが面接触にて当接されるので、前記野地面への屋根瓦の位置決めが容易になるという効果を発揮する。
【００１０】
【発明の実施の形態】
以下、本発明の一実施例を図面に基づいて説明する。図１〜図４に示すように本発明に係る屋根瓦Ｆの主体である瓦本体１は、上面からみて長方形形状となす陶板からできている。そして、前記瓦本体１が建物の屋根を構成する野地板上に葺かれるとき、周知のように軒先側に位置する部位が頭部２となり、棟側に位置する部位が尻部３となる。さらに、前記頭部２と尻部３の端面にほぼ垂直に形成される二つの側縁のうち、右側縁４寄りの側部が、前記瓦本体１と同一段で葺かれる右隣接屋根瓦Ｆ１に対する被さり部５となり、左側縁６寄りの側部が前記同様に葺かれる左隣接屋根瓦Ｆ２の被さり部５の裏面側に差し込まれる差込部７となる。なお、前記右隣接屋根瓦Ｆ１及び左隣接屋根瓦Ｆ２も本発明に係る屋根瓦Ｆであるが、該屋根瓦Ｆの種々の構成要素が隣接する屋根瓦に対してどのように関わるかを示すために、隣接屋根瓦に記号Ｆ１、Ｆ２を付して説明し（以下の説明においても同じ）、これらの屋根瓦の構成要素を説明するとき、単に瓦本体１と称する。
【００１１】
図２に示すように、瓦本体１の頭部２の下縁には、前記頭部２が僅かに下側に垂れ下がる肉垂れ部８が形成されているが、前記頭部２の中央部付近の前記肉垂れ部８を割愛して、瓦本体１の平坦部９より一段高くなっている被さり部５と干渉しないようになっている。そして前記肉垂れ部８の下端面は、当該屋根瓦Ｆに対して下段に葺かれる右下隣接屋根瓦Ｄ１と左下隣接屋根瓦Ｄ２の平坦部９に当接可能になっており、屋根瓦Ｆと右下隣接屋根瓦Ｄ１、屋根瓦Ｆと左下隣接屋根瓦Ｄ２の間に雨水が吹き込まれることを防止している（図５参照）。
【００１２】
前記瓦本体１の尻部３上縁には、前記被さり部５の右右側縁４から差込部７の左側縁６まで連なる尻部水返し１０が形成されており、前記屋根瓦Ｆとその上段に葺かれる右上隣接屋根瓦Ｕ１と左上隣接屋根瓦Ｕ２との間から吹き込まれる雨水の侵入を防止するようになっている。なお、前記尻部水返し１０において尻部端面１１寄りの部位には、表面側の一部分を下方に押出すことにより、所定間隔をおいて裏面側に窪んだ一対の凹部１２ａ、１２ｂが形成されている（図１参照）とともに、裏面側に台形状に突出する一対の係止突起１３ａ及び１３ｂが形成されている（図４参照）。
【００１３】
そして前記係止突起１３ａ及び１３ｂの先端が平面になっており、前記瓦本体１が野地面に葺かれるとき平面にて当接するので、作業員が施工時又はその後の点検・補修時に屋根瓦Ｆの上に着地しても、野地板上にかかる作業員と瓦本体１の荷重は前記係止突起１３ａ及び１３ｂの底面から野地面に効率的に分散するようになっている。そのうえ、図８に示すように、前記係止突起１３ａ及び１３ｂの頭部２側の端面１５は、野地面の平行面Ｘに対して瓦本体１の表面は葺き勾配θだけ逆勾配が発生することを考慮して、瓦本体１の表面の垂線から前記瓦本体１が野地面に葺かれたときに生じる葺き勾配θだけ傾斜して形成されており、野地面に固定された位置決め部材２１に面接触することにより、位置決めが容易になっている。また、前記尻部水返し１０において被さり部５寄りと差込部７寄りの部位に対して、前記屋根瓦Ｆを野地板にとめ付けるための釘孔１４ａ及び１４ｂが設けられ、固定釘が挿通可能になっている。
【００１４】
瓦本体１の差込部７において前記左側縁６の上縁には、前記尻部３から頭部２の近傍に至るまで繋がる連続した水返し１７が設けられている。さらに該水返し１７の機能を高めるために、前記差込部７の中央部付近には前記水返し部１７と所定間隔をおいて平行に前記尻部端面１１から前記頭部２付近まで連なる水返し１８が設けられ、これら二重の水返し１７、１８により差込部８に侵入した雨水が野地板への侵入を防止されるようになっている。
【００１５】
図２に示すように瓦本体１の被さり部５は、前記右隣接屋根瓦Ｆ１の差込部７を被覆するため、前記瓦本体１の平坦部９より一段高くなっている。前記被さり部５のほぼ中央部付近において、所定の幅を有する切込溝１９が延設され、施工後に前記右隣接屋根瓦Ｆ１と屋根瓦Ｆとの当接面より雨水が侵入しにくいようになっている。また、前記被さり部５の頭部２寄りの裏面には頭部切込２０が設けられ、施工時に前記差込部７の頭部部分が干渉しないようになっている。
【００１６】
さらに図６に示すように、前述した屋根瓦Ｆを野地面に位置決め固定する位置決め部材２１は、前記瓦本体１から突出した前記係止突起１３ａ及び１３ｂの高さより低い厚みを持たせた断面形状を有し、所定の幅を持たせた棒状、又は帯状をなす木材又はポリプロピレン等の合成樹脂からできている。前記位置決め部材２１の野地面に接する裏面は、所定の間隔にて切り欠かれて切り欠き溝２２が設けられており、野地面に固定したとき排水機能を有するようになっている。また図１０に示すように、軒先部または棟部に使用される換気部材は、長手方向に所定の長さを形成し、軒先瓦の荷重に耐えられるとともに通気面積を確保できる十分な厚みを有する樹脂製または金属製等で構成されている。前記換気部材のそのほかの態様としては、従来の屋根瓦固定用に使用される瓦桟木を、軒先部に使用される桟瓦分だけ、屋根の流れ方向に屋根瓦の幅ピッチにてとめ付けて、軒先桟瓦と軒先垂木の間に隙間（５ｍｍ以上が望ましい）を設ける構造を設けてもよい。
【００１７】
前述のように構成される本発明に係る屋根瓦Ｆ、位置決め部材２１及び換気部材２３の作用・効果について説明すると、野地面に防水シートを施工したとして屋根瓦Ｆの位置決め部材をとめ付ける段階にあると仮定する。はじめに図１１に示すように、本発明に係る換気部材２３垂木２４を軒先部全域にわたってとめ付ける。ついで図９に示すように前記位置決め部材２１を、野地面全面にわたって野地面の流れ方向に、屋根瓦Ｆの働き長さＰごとに固定する。
【００１８】
次に野地面において面状に展開される屋根瓦Ｆの係止突起１３ａ及び１３ｂを、先に固定した位置決め部材２１の水上側に引っかけて位置決めしながら施工する。ついで左隣接屋根瓦Ｆ２の被さり部５を、屋根瓦Ｆの差込部７に被せながら前記左隣接屋根瓦Ｆ２の裏面に設けられた係止突起１３ａ及び１３ｂを野地面に固定した位置決め部材２１に引っかけて位置決めを行い施工する。同様に前記右隣接屋根瓦Ｆ１の差込部７を前記屋根瓦Ｆの被さり部５の下方に差し込みながら前記左隣接屋根瓦Ｆ１の裏面に設けられた係止突起１３ａ及び１３ｂを野地面に固定した位置決め部材２１に引っかけて位置決めを行い施工する。こうして前記屋根瓦Ｆ１と同一段の屋根瓦について施工展開できるとともに、同様の操作を行うことで野地面全体に施工展開が可能となる。
【００１９】
このとき、図８に示すように本発明に係る瓦本体１の裏面に設けられた係止突起１３ａ及び１３ｂの突出高さは、前記位置決め部材２１の厚みより大きく形成されているので、野地面において位置決めされた瓦本体１と野地面の間には隙間を確保することができる。前記隙間をすべての瓦本体１の裏面に設けることで、前記瓦本体１と野地面との間に通気層を設けることが可能となるので、降雨時に瓦本体１の裏面に侵入した雨水を効率的に乾燥、換気することができる。このとき、前述の通気層をより効果的にするために、前記位置決め部材２１と、前記屋根瓦Ｆの間に設けられる隙間高さは５ｍｍ以上にすることが望ましい。
【００２０】
さらに、野地面に瓦本体１を位置決めしたとき、野地面に前記屋根瓦Ｆが接地する尻部裏面の尻部突起１４ａ及び１４ｂの先端面が略平面になっているので、野地面と実質上面接触して、瓦本体１の位置決めが容易になるとともに、瓦本体１の上に作業員が着地したときの荷重を野地面に分散して野地面の破損を防止するという効果を発揮する。
【００２１】
そのうえ、図１２に示すように、棟際に納められる棟際桟瓦の棟際端部の上面において、両側面に粘着性の接着剤が貼り付けられた弾性材２６を貼り付けた後本発明に係る換気部材を固定する。前記換気部材の上面に防水テープ２７を貼り付けた後、棟部に通した垂木２４の上面に冠瓦２５をとめ付ける。前述のように棟部を構成することで、屋根瓦Ｆと野地面の間を通ってきた空気を効率的に棟部から排出することができるようになっている。
【００２２】
以上のような構成を採用して野地面に屋根瓦を施工することで、屋根瓦の裏面と野地面との空間を利用した通気、ひいては軒先から棟部まで野地面全体において通気機能を付加することができるので、乾燥のための換気にとどまらず、屋根材表面と小屋裏との間の中間層で効率的に熱排気が可能となり、真夏時に小屋裏の温度上昇を防止することができるので、冷房費節減など光熱費の削減が可能となるのである。
【００２３】
本発明はその根本的技術思想を踏襲し、発明の効果を著しく損なわない限度において、前記実施形態の一部分を例えば次のように変更して実施できる。（１）前記被さり部７を左側縁６寄りに形成し、差込部８を右側縁５寄りに形成することができる。（２）係止突起１３ａ及び１３ｂの数を１カ所、または２カ所以上にしてもよい。（３）前記係止突起１３ａ及び１３ｂの形状を幅広の帯状に変更することができる。（４）前記平坦部９の被さり部５寄りと、差込部７寄りに配置された一段高くなっている部位をなくし、前記平坦部を拡大するとともに、頭部２の中央部付近に設けられた肉垂れ部８の割愛部を省略することができる。
【００２４】
【発明の効果】
以上詳述したように本発明に係る屋根瓦及びそれを使用した屋根の通気構造は、屋根瓦を安定して野地面への位置決め機能を有し、野地面への荷重の分散が可能であるとともに、野地面と屋根瓦の裏面との間に通気層を設けることができるという優れた効果を発揮する。
【図面の簡単な説明】
【図１】本発明に係る屋根瓦の平面図である。
【図２】前記屋根瓦の正面図である。
【図３】前記屋根瓦の背面図である。
【図４】前記屋根瓦の施工時に、屋根瓦と野地面の間に隙間が設けられていることを示す底面図である。
【図５】前記屋根瓦の施工状態を示す斜視図である。
【図６】野地面に位置決め部材を取り付けた状態を示す斜視図である。
【図７】前記屋根瓦を野地面に施工した状態を示す断面図である。
【図８】前記屋根瓦を野地面に施工した状態を示す拡大断面図である。
【図９】位置決め部材と前記屋根瓦の施工状態を示す斜視図である。
【図１０】本発明に係る換気部材の外観を示す斜視図である。
【図１１】換気部材と垂木を軒先部に取り付けた状態を示す断面図である。
【図１２】棟際桟瓦の上部に弾性材、換気部材、防水テープ及び冠瓦を施工した状態を示す断面図である。
【図１３】従来技術に係る瓦桟木固定具を使用した屋根瓦の施工状態を示す斜視図である。
【図１４】同じく従来技術に係る屋根瓦の背面を示す斜視図である。
【図１５】同じく従来技術に係る瓦桟木固定具の形状を示す斜視図である。
【図１６】従来技術の施工状態において平板瓦を施工した状態を示す断面図である。
【符号の説明】
１    瓦本体
２    頭部
３    尻部
４    右側縁
５    被さり部
６    左側縁
７    差込部
８    肉垂れ部
９    平坦部
１０    尻部水返し
１１    尻部端面
１２ａ、１２ｂ    凹部
１３ａ、１３ｂ    係止突起
１４ａ、１４ｂ    釘孔
１５    端面
１７    水返し
１８    水返し
１９    切込溝
２０    頭部切込
２１    位置決め部材
２２    切り欠き溝
２３    換気部材
２４    垂木
２５    冠瓦
２６    弾性材
２７    防水テープ
３０    瓦桟木固定具
３１    瓦桟木
３２    屋根瓦
３３    尻剣突起
３４    位置決め駒
３５    位置決め溝
Ｆ    屋根瓦
Ｆ１    右隣接屋根瓦
Ｆ２    左隣接屋根瓦
Ｄ１    右下隣接屋根瓦
Ｄ２    左下隣接屋根瓦
Ｕ１    右上隣接屋根瓦
Ｕ２    左上隣接屋根瓦
Ｐ    働き長さ
Ｘ    野地面平行面
θ    葺き勾配。
【図１】
2005002630.tif 000003
【図２】
2005002630.tif 000004
【図３】
2005002630.tif 000005
【図４】
2005002630.tif 000006
【図５】
2005002630.tif 000007
【図６】
2005002630.tif 000008
【図７】
2005002630.tif 000009
【図８】
2005002630.tif 000010
【図９】
2005002630.tif 000011
【図１０】
2005002630.tif 000012
【図１１】
2005002630.tif 000013
【図１２】
2005002630.tif 000014
【図１３】
2005002630.tif 000015
【図１４】
2005002630.tif 000016
【図１５】
2005002630.tif 000017
【図１６】
2005002630.tif 000018